(57)【要約】【課題】ユーザが見やすいデジタル画像を表示する。【解決手段】表示装置は、第１被写体が含まれる第１画像を複数の画像から抽出し、第２被写体が含まれる第２画像を複数の画像から抽出する抽出部と、抽出部が抽出した第１画像内の第１被写体の位置と、抽出部が抽出した第２撮像内の第２被写体の位置とをそれぞれ判定する位置判定部と、位置判定部がそれぞれ判定した第１被写体の位置と、第２被写体の位置とに基づいて、第１画像と第２画像とを並べて表示する表示部とを備える。【選択図】図３
2014222471.tif 000002
【特許請求の範囲】
【請求項１】
第１被写体が含まれる第１画像を複数の画像から抽出し、第２被写体が含まれる第２画像を前記複数の画像から抽出する抽出部と、
前記抽出部が抽出した前記第１画像内の前記第１被写体の位置と、前記抽出部が抽出した前記第２画像内の前記第２被写体の位置とをそれぞれ判定する位置判定部と、
前記位置判定部がそれぞれ判定した前記第１被写体の位置と、前記第２被写体の位置とに基づいて、前記第１画像と前記第２画像とを並べて表示する表示部と、
を備えることを特徴とする表示装置。
【請求項２】
前記表示部は、前記第１画像と前記第２画像とを並べて同時に表示する
ことを特徴とする請求項１に記載の表示装置。
【請求項３】
前記表示部が画像を表示する表示領域のうち、前記第１被写体の顔と前記第２被写体の顔とが並べて表示される顔表示領域の周囲の表示領域に表示される画像の画素値を補正する画像補正部
を備えることを特徴とする請求項１または請求項２に記載の表示装置。
【請求項４】
前記画素値には、画像の明るさを示す値が含まれ、
前記画像補正部は、
前記顔表示領域の周囲の表示領域に表示される画像の明るさを示す値を所定の範囲内に補正する
ことを特徴とする請求項３に記載の表示装置。
【請求項５】
前記画像補正部は、
さらに、前記顔表示領域に表示される画像のうち、前記第１被写体の画像と前記第２被写体の画像との境界領域に表示される画像の画素値を補正する
ことを特徴とする請求項３または請求項４に記載の表示装置。
【請求項６】
前記画像補正部は、
さらに、前記第１被写体および前記第２被写体のうち少なくとも一方の被写体の顔を示す画像の画素値に基づいて、少なくとも他方の被写体の顔を示す画像の画素値を補正する
ことを特徴とする請求項３から請求項５のいずれか一項に記載の表示装置。
【請求項７】
前記表示部が表示する前記第１画像と前記第２画像とのうち、少なくとも一方の画像の大きさを、他方の画像に含まれる顔の画像領域の大きさに基づいて変更する画像変更部
を備えることを特徴とする請求項１から請求項６のいずれか一項に記載の表示装置。
【請求項８】
前記抽出部は、
前記第１画像を前記複数の画像から抽出するとともに、抽出した前記第１画像の撮像時における当該第１画像に含まれる前記第１被写体の年齢に基づいて、当該第１画像に対応する前記第２画像を前記複数の画像から抽出し、
前記表示部は、
前記抽出部がそれぞれ抽出した前記第１画像と、当該第１画像に対応する前記第２画像とを並べて表示する
ことを特徴とする請求項１から請求項７のいずれか一項に記載の表示装置。
【請求項９】
前記抽出部は、
前記第１画像を前記複数の画像から抽出するとともに、抽出した前記第１画像が示す前記第１被写体の表情に基づいて、当該第１画像に対応する前記第２画像を前記複数の画像から抽出し、
前記表示部は、
前記抽出部がそれぞれ抽出した前記第１画像と、当該第１画像に対応する前記第２画像とを並べて表示する
ことを特徴とする請求項１から請求項８のいずれか一項に記載の表示装置。
【請求項１０】
前記抽出部は、
前記第１画像を前記複数の画像から抽出するとともに、抽出した前記第１画像が示す前記第１被写体の視線の方向に基づいて、当該第１画像に対応する前記第２画像を前記複数の画像から抽出し、
前記表示部は、
前記抽出部がそれぞれ抽出した前記第１画像と、当該第１画像に対応する前記第２画像とを並べて表示する
ことを特徴とする請求項１から請求項９のいずれか一項に記載の表示装置。
【請求項１１】
撮像された前記画像に含まれる前記複数の被写体のうちから、前記第１被写体と前記第２被写体とを選択する選択部
を備えることを特徴とする請求項１から請求項１０のいずれか一項に記載の表示装置。
【請求項１２】
表示装置のコンピュータに、
第１被写体が含まれる第１画像を複数の画像から抽出し、第２被写体が含まれる第２画像を前記複数の画像から抽出する抽出ステップと、
前記抽出ステップにおいて抽出された前記第１画像内の前記第１被写体の位置と、前記抽出ステップにおいて抽出された前記第２画像内の前記第２被写体の位置とをそれぞれ判定する位置判定ステップと、
前記位置判定ステップにおいて判定された前記第１被写体の位置と、前記第２被写体の位置とに基づいて、前記第１画像と前記第２画像とを並べて表示する表示ステップと、
を実行させるためのプログラム。
【発明の詳細な説明】
【技術分野】
【０００１】
本発明は、表示装置、及びそのプログラムに関する。
【背景技術】
【０００２】
従来、カメラで撮像した複数のデジタル画像を時系列などの所定の条件によって並べた電子アルバムを作成する装置が知られている。例えば、特許文献１には、デジタル画像が撮像された場所の情報に基づいて、複数のデジタル画像のなかから特定の場所で撮像されたデジタル画像を抽出することにより、電子アルバムを作成する装置が記載されている。
【先行技術文献】
【特許文献】
【０００３】
【特許文献１】特開２００２−３５８３１０号公報
【発明の概要】
【発明が解決しようとする課題】
【０００４】
しかしながら、特許文献１記載の技術では、例えば、撮像されたデジタル画像を単にならべて表示するだけであるため、ユーザにとって見づらく表示されることがあった。本発明は上記の点に鑑みてなされたものであり、被写体を並べて表示した場合に、ユーザが見やすいデジタル画像を表示することができる表示装置、及びそのプログラムを提供する。
【課題を解決するための手段】
【０００５】
本発明の一態様は、第１被写体が含まれる第１画像を複数の画像から抽出し、第２被写体が含まれる第２画像を前記複数の画像から抽出する抽出部と、前記抽出部が抽出した前記第１画像内の前記第１被写体の位置と、前記抽出部が抽出した前記第２撮像内の前記第２被写体の位置とをそれぞれ判定する位置判定部と、前記位置判定部がそれぞれ判定した前記第１被写体の位置と、前記第２被写体の位置とに基づいて、前記第１画像と前記第２画像とを並べて表示する表示部とを備えることを特徴とする表示装置である。
【０００６】
また、本発明の一態様は、表示装置のコンピュータに、表示装置のコンピュータに、第１被写体が含まれる第１画像を複数の画像から抽出し、第２被写体が含まれる第２画像を前記複数の画像から抽出する抽出ステップと、前記抽出ステップにおいて抽出された前記第１画像内の前記第１被写体の位置と、前記抽出部が抽出した前記第２撮像内の前記第２被写体の位置とをそれぞれ判定する位置判定ステップと、前記位置判定ステップにおいて判定された前記第１被写体の位置と、前記第２被写体の位置とに基づいて、前記第１画像と前記第２画像とを並べて表示する表示ステップとを実行させるためのプログラムである。
【発明の効果】
【０００７】
本発明によれば、ユーザが見やすいデジタル画像を表示することができる。
【図面の簡単な説明】
【０００８】
【図１】本発明の第１の実施形態に係る表示装置の外観の一例を示す概略図である。
【図２】本実施形態の表示部が表示する画像の一例を示す模式図である。
【図３】本実施形態の表示装置の構成の一例を示す構成図である。
【図４】本実施形態の記憶部に記憶されている画像データの一例を示す表である。
【図５】本実施形態の記憶部に記憶されている画像データが示す第１の被写体の画像の一例を示す模式図である。
【図６】本実施形態の記憶部に記憶されている画像データが示す第２の被写体の画像の一例を示す模式図である。
【図７】本実施形態の表示部が表示する合成画像の一例を示す模式図である。
【図８】本実施形態の表示装置の動作の一例を示すフローチャートである。
【図９】本発明の第２の実施形態に係る表示装置の構成の一例を示す構成図である。
【図１０】本実施形態の画像変更部が変更する画像の一例を示す模式図である。
【図１１】本発明の第３の実施形態に係る表示装置の構成の一例を示す構成図である。
【図１２】本実施形態の画像補正部が補正する画像の一例を示す模式図である。
【発明を実施するための形態】
【０００９】
［第１の実施形態］
以下、図面を参照しながら本発明の実施形態について詳しく説明する。
図１は、本発明の第１の実施形態に係る表示装置１の外観の一例を示す概略図である。この表示装置１は、例えば、取り込んだ画像データに基づく画像を表示することができるパーソナルコンピュータである。具体的には、表示装置１は、表示部１０と本体２０とを備えている。
【００１０】
表示部１０は、液晶ディスプレイなどの表示面ＤＳを備えており、本体２０が出力する画像データに基づく画像を表示する。
【００１１】
本体２０は、ユーザが操作するキーボードＫＢやタッチパッドＴＰを備えている。また、本体２０は、その内部に画像処理を行う中央演算処理装置（ＣＰＵ；Central  Processing  Unit）を備えている。本体２０は、キーボードＫＢやタッチパッドＴＰに入力されたユーザの操作に基づいて、ＣＰＵが種々の演算を行うことにより、画像データを加工し、表示部１０に加工した画像データを出力する。
【００１２】
また、本体２０は、不揮発性メモリーカードなどの記憶媒体３を挿入するスロットＳＬ１を備えている。この記憶媒体３は、カメラ２が備えるスロットＳＬ２にも挿入することができる。記憶媒体３がスロットＳＬ２に挿入されている場合、カメラ２は、撮像した画像（以下の説明において撮像画像ＰＩＣとも記載する。）の画像データを記憶媒体３に書き込む。この画像データが書き込まれている記憶媒体３をカメラ２のスロットＳＬ２から本体２０のスロットＳＬ１に差し替えると、本体２０は、記憶媒体３から画像データを読み出して、後述する記憶部２６に書き込む。このようにして本体２０は、カメラ２が撮像した画像の画像データを自身の記憶部２６に書き込む。
【００１３】
なお、本体２０は、スロットＳＬ１に挿入されている記憶媒体３から読み出した画像データを記憶部２６に書き込むことなく、記憶媒体３から読み出した画像データを直接利用してもよい。以下の説明においては、複数の撮像画像ＰＩＣの画像データが、記憶部２６に予め書き込まれている場合について説明する。
【００１４】
次に、図２を参照して、表示装置１の表示部１０が表示する画像の一例について説明する。
図２は、本実施形態の表示部１０が表示する画像の一例を示す模式図である。表示部１０は、画像を表示する表示面ＤＳの左半面に画像ＣＰ１を、右半面に画像ＣＰ２をそれぞれ表示する。この画像ＣＰ１には、被写体ＯＢＪ１の顔の部分を示す画像Ｆ１が含まれている。また、画像ＣＰ２には、被写体ＯＢＪ２の顔の部分を示す画像Ｆ２が含まれている。すなわち、表示部１０は、２つの被写体ＯＢＪの顔を並べて表示する。
なお、表示部１０が表示する画像ＣＰ１には、被写体ＯＢＪ１の顔の他に、被写体ＯＢＪ１の手など、被写体ＯＢＪ１を表す体の各部が含まれていてもよい。また、表示部１０が表示する画像ＣＰ２には、被写体ＯＢＪ２の顔の他に、被写体ＯＢＪ２の手など、被写体ＯＢＪ１を表す体の各部の画像が含まれていてもよい。
【００１５】
上述したように、表示部１０が画像ＣＰ１および画像ＣＰ２を表示することにより、表示装置１は、被写体ＯＢＪ１と、被写体ＯＢＪ２との親近感を演出することができる。また、被写体ＯＢＪ１と、被写体ＯＢＪ２とは、例えば、親子やきょうだい、夫婦、友達などの関係を有していてもよい。この場合には、表示装置１は、さらに強い親近感を演出することができる。
【００１６】
ここで、記憶部２６に記憶されている複数の画像データのなかには、被写体ＯＢＪ１または被写体ＯＢＪ２が、いずれも写っていない画像データが存在する。例えば、記憶部２６に記憶されている複数の画像データのなかには、海や山の風景の画像データが含まれている。したがって、表示部１０が画像ＣＰ１と画像ＣＰ２とを並べて表示するためには、被写体ＯＢＪ１や被写体ＯＢＪ２が写っていない画像データを表示対象からはずしたほうが好ましい。また、記憶部２６に記憶されている画像データに被写体ＯＢＪ１または被写体ＯＢＪ２のいずれかが写っているとしても、その被写体ＯＢＪの顔の位置は、画像データごとに相違する。したがって、表示部１０が２つの被写体ＯＢＪの顔を並べて表示するためには、画像データごとに被写体ＯＢＪの顔の位置を揃える処理が必要になる。以下、図３〜図７を参照して、この表示装置１が、表示部１０に２つの被写体ＯＢＪの顔を並べて表示する仕組みについて説明する。
【００１７】
図３は、本実施形態の表示装置１の構成の一例を示す構成図である。上述したように、表示装置１は、表示面ＤＳを備える表示部１０と、本体２０とを備えている。この本体２０は、抽出部２１と、位置判定部２２と、選択部２５と、記憶部２６とを備えている。このうち、抽出部２１、位置判定部２２、選択部２５などは、ＣＰＵの機能によって構成される。
【００１８】
図４は、本実施形態の記憶部２６に記憶されている画像データの一例を示す表である。記憶部２６には、複数の撮像画像ＰＩＣの画像データが予め記憶されている。具体的には、記憶部２６には、画像ＩＤ、ビットマップデータ、撮像日、画像方向および画像サイズの各情報が関連付けられて、画像データとして記憶されている。この画像ＩＤとは、画像データを識別するための識別子である。また、ビットマップデータとは、カメラ２の撮像素子が有する各画素の画素値を示す情報である。また、撮像日とは、カメラ２がこの画像データを撮像した日を示す情報である。また、画像方向とは、撮像時にカメラ２を構えた方向（例えば、横方向や縦方向）を示す情報である。また、画像サイズとは、ビットマップデータの画素数を示す情報である。具体的には、記憶部２６には、１枚目の画像Ｐ０１０の画像データとして、画像ＩＤ（Ｐ０１０）と、この画像Ｐ０１０のビットマップデータと、撮像日（２０００年１月１日）と、画像方向（１）（例えば、横方向）と、画像サイズ（１０２４×７６８）とが関連付けられて記憶されている。また、記憶部２６には、２枚目〜６枚目の画像データ（画像Ｐ０２０〜Ｐ０６０の画像データ）が、１枚目の画像データと同様にして各情報が関連付けられて記憶されている。この記憶部２６に記憶されている画像データの具体例については、後述する。
【００１９】
選択部２５は、被写体ＯＢＪ１の画像および被写体ＯＢＪ２の画像を画像データから抽出する対象の画像として選択する。以下、選択部２５が被写体ＯＢＪ１の画像を選択する具体例を説明する。表示装置１は、カメラ２が撮像した複数の画像を一覧にして、またはスライドショウ形式によって表示部１０に表示する。このとき、ユーザは、表示部１０に被写体ＯＢＪ１が含まれる画像が表示されている場合に、キーボードＫＢやタッチパッドＴＰを操作して、被写体ＯＢＪ１が含まれる画像を選択する。選択部２５は、本体２０のキーボードＫＢやタッチパッドＴＰに接続されている。選択部２５は、キーボードＫＢやタッチパッドＴＰから画像を選択する操作を示す情報を取得すると、その画像をハイライト表示（例えば、画像に黄色の枠を表示）する。さらに、ユーザは、キーボードＫＢやタッチパッドＴＰを操作して、被写体ＯＢＪ１が含まれる画像のなかから、被写体ＯＢＪの顔の部分の画像を囲う操作を行う。選択部２５は、キーボードＫＢやタッチパッドＴＰから被写体ＯＢＪの顔の部分の画像領域を囲う操作を示す情報を取得すると、その画像領域内の画像を、被写体ＯＢＪ１の顔の部分を示す画像Ｆ１として選択する。選択部２５は、このようにして選択した被写体ＯＢＪ１の顔の部分を示す画像Ｆ１を記憶部２６に書き込む。すなわち、選択部２５は、被写体ＯＢＪ１の顔の特徴量を記憶部２６に書き込む。以下、選択部２５が記憶部２６に書き込んだ被写体ＯＢＪ１の顔の部分を示す画像Ｆ１は、被写体ＯＢＪ１の顔の特徴を示す情報として利用される。
【００２０】
なお、選択部２５は、上述した構成の他にも、次のような構成によって被写体ＯＢＪ１の画像および被写体ＯＢＪ２の画像を画像データから抽出する対象の画像として選択することができる。例えば、被写体ＯＢＪが一人だけである画像が表示部１０に表示されている場合には、ユーザがキーボードＫＢやタッチパッドＴＰを操作してこの画像を選択すると、選択部２５は、選択された画像に含まれる被写体ＯＢＪの顔の画像を、画像データから抽出する対象の画像として選択する。これにより、ユーザが被写体ＯＢＪの顔の部分の画像領域を囲う操作を行わなくても、画像データから抽出する対象の画像として選択することができる。
また、記憶部２６が抽出対象の人物の顔の画像を予め記憶していてもよい。この場合には、表示部１０は、記憶部２６に記憶されている抽出対象の人物の顔の画像（例えば、サムネイル画像）を表示する。ユーザがキーボードＫＢやタッチパッドＴＰを操作してこのサムネイル画像を選択すると、選択部２５は、このサムネイル画像が示す人物の顔の画像を、画像データから抽出する対象の画像として選択する。このように構成することによっても、ユーザが被写体ＯＢＪの顔の部分の画像領域を囲う操作を行わなくても、画像データから抽出する対象の画像として選択することができる。
【００２１】
また、被写体ＯＢＪ２についても被写体ＯＢＪ１と同様にして、選択部２５は、被写体ＯＢＪ２の顔の部分を示す画像Ｆ２を記憶部２６に書き込む。すなわち、選択部２５は、被写体ＯＢＪ２の顔の特徴量を記憶部２６に書き込む。ここで、顔の特徴量には、顔を構成する目、耳、鼻、口等の各部の大きさ、位置、角度等が含まれる。以下、選択部２５が記憶部２６に書き込んだ被写体ＯＢＪ２の顔の部分を示す画像Ｆ２は、被写体ＯＢＪ２の顔の特徴を示す情報として利用される。すなわち、選択部２５は、撮像された画像に含まれる複数の被写体ＯＢＪのうちから、被写体ＯＢＪ１と被写体ＯＢＪ２とを選択する。以下、選択部２５によって被写体ＯＢＪ１と被写体ＯＢＪ２とが予め選択されている場合について説明する。
【００２２】
抽出部２１は、複数の撮像画像ＰＩＣのなかから、被写体ＯＢＪ１の画像が含まれる撮像画像ＰＩＣ、および被写体ＯＢＪ２の画像が含まれる撮像画像ＰＩＣをそれぞれ抽出する。上述したように記憶部２６には、少なくとも１枚目〜６枚目の６枚の画像データが記憶されている。このうち、１枚目、３枚目、５枚目の画像データとは、被写体ＯＢＪ１が写っている可能性がある画像データである。例えば、１枚目、３枚目、５枚目の画像データとは、被写体ＯＢＪ１が参加した旅行などにおいて撮像された画像データである。また、２枚目、４枚目、６枚目の画像データとは、被写体ＯＢＪ２が写っている可能性がある画像データである。すなわち、２枚目、４枚目、６枚目の画像データとは、被写体ＯＢＪ２が参加した旅行などにおいて撮像された画像データである。この抽出部２１がこれら１枚目〜６枚目の画像のなかから被写体ＯＢＪ１が写っている画像を抽出する仕組みについて、図５を参照して説明する。
【００２３】
図５は、本実施形態の記憶部２６に記憶されている画像データが示す第１の被写体ＯＢＪ１の画像の一例を示す模式図である。図５（Ａ１）に示すように、１枚目の画像データとは、被写体ＯＢＪ１の画像が含まれる画像（画像Ｐ０１０）の画像データである。また、図５（Ｂ１）に示すように、３枚目の画像データとは、海の風景の画像の画像データである。すなわち、３枚目の画像データとは、被写体ＯＢＪ１の画像および被写体ＯＢＪ２の画像が、いずれも含まれない画像（画像Ｐ０３０）の画像データである。また、図５（Ｃ１）に示すように、５枚目の画像データとは、被写体ＯＢＪ１の画像が含まれる画像（画像Ｐ０５０）の画像データである。
【００２４】
上述したように、記憶部２６には、被写体ＯＢＪ１の特徴量を示す情報が予め記憶されている。抽出部２１は、記憶部２６から被写体ＯＢＪ１の特徴量を示す情報を読み出す。また、抽出部２１は、記憶部２６から画像データを１枚ずつ順次読み出す。次に、抽出部２１は、被写体ＯＢＪ１の特徴量に基づいて、読み出した画像データに対してパターンマッチングを行う。このパターンマッチングにより、抽出部２１は、読み出した１枚目の画像データに被写体ＯＢＪ１の画像が含まれているか否かを判定する。抽出部２１は、１枚目の画像データに被写体ＯＢＪ１の画像が含まれていると判定した場合には、１枚目の画像Ｐ０１０を位置判定部２２に出力する。また、抽出部２１は、１枚目の画像データに被写体ＯＢＪ１の画像が含まれていないと判定した場合には、１枚目の画像Ｐ０１０を位置判定部２２に出力しない。
【００２５】
より具体的には、抽出部２１は、記憶部２６から、図５（Ａ１）に示す１枚目の画像Ｐ０１０の画像データを読み出す。上述したように、この１枚目の画像Ｐ０１０の画像データには、被写体ＯＢＪ１の画像が含まれている。したがって、抽出部２１は、１枚目の画像Ｐ０１０の画像データを位置判定部２２に出力する。
【００２６】
また、抽出部２１は、記憶部２６から、図５（Ｂ１）に示す３枚目の画像Ｐ０３０の画像データを読み出す。上述したように、この３枚目の画像Ｐ０３０の画像データには、被写体ＯＢＪ１の画像が含まれていない。したがって、抽出部２１は、３枚目の画像Ｐ０３０の画像データを位置判定部２２に出力しない。
【００２７】
また、抽出部２１は、記憶部２６から、図５（Ｃ１）に示す５枚目の画像Ｐ０５０の画像データを読み出す。上述したように、この５枚目の画像Ｐ０５０の画像データには、被写体ＯＢＪ１の画像が含まれている。したがって、抽出部２１は、５枚目の画像Ｐ０５０の画像データを位置判定部２２に出力する。
【００２８】
位置判定部２２は、抽出部２１が出力した画像データを取得する。上述したように。抽出部２１が出力した画像データには、被写体ＯＢＪ１の画像データが含まれている。位置判定部２２は、取得した画像データに基づいて、この画像データによって表示される画像内における、被写体ＯＢＪ１の顔の部分を示す画像Ｆ１の位置を判定する。また、位置判定部２２は、この画像Ｆ１が、表示部１０の表示面ＤＳの左半面の所定の位置に表示されるように、画像Ｐ０１０の表示位置を補正する。具体的には、図５（Ａ１）に示す画像Ｆ１の位置Ｐ１が、表示面ＤＳの中央の位置になるように画像Ｐ０１０の表示位置を補正する。また、位置判定部２２は、表示位置を補正した画像Ｐ０１０を画像ＣＰ１（以下の説明において補正画像ＣＰ１と記載する。）として生成する（図５（Ａ２）を参照）。また、位置判定部２２は、図５（Ｃ１）に示す画像Ｆ５の位置Ｐ５が、所定の表示位置（例えば、表示面ＤＳの中央の位置）になるように画像Ｐ０５０の表示位置を補正し、表示位置を補正した画像Ｐ０５０を補正画像ＣＰ５として生成する（図５（Ｃ２）を参照）。位置判定部２２は、このようにして画像の表示位置を補正して、補正画像ＣＰを生成する。
【００２９】
ここまで、記憶部２６に記憶されている画像データのうち、１枚目、３枚目、５枚目の画像データから、被写体ＯＢＪ１が写っている画像を抽出する仕組みについて説明した。以下、記憶部２６に記憶されている画像データのうち、２枚目、４枚目、６枚目の画像データから、被写体ＯＢＪ２が写っている画像を抽出する仕組みについて説明する。なお、１枚目、３枚目、５枚目の画像データと、２枚目、４枚目、６枚目の画像データとは、被写体ＯＢＪ１であるか、被写体ＯＢＪ２であるかが相違する。以下、被写体ＯＢＪの相違によって変化する点について説明し、被写体ＯＢＪの相違によって変化しない部分については説明を省略する。
【００３０】
図６は、本実施形態の記憶部２６に記憶されている画像データが示す第２の被写体ＯＢＪ２の画像の一例を示す模式図である。上述したように記憶部２６には、少なくとも１枚目〜６枚目の６枚の画像データが記憶されている。このうち、図６（Ａ１）に示すように、２枚目の画像データとは、被写体ＯＢＪ２の画像が含まれる画像（画像Ｐ０２０）の画像データである。また、図５（Ｂ１）に示すように、４枚目の画像データとは、山の風景の画像の画像データである。すなわち、４枚目の画像データとは、被写体ＯＢＪ１の画像および被写体ＯＢＪ２の画像が、いずれも含まれない画像（画像Ｐ０４０）の画像データである。また、図５（Ｃ１）に示すように、６枚目の画像データとは、被写体ＯＢＪ２の画像が含まれる画像（画像Ｐ０６０）の画像データである。
【００３１】
上述したように、記憶部２６には、被写体ＯＢＪ２の特徴量を示す情報が予め記憶されている。抽出部２１は、記憶部２６から被写体ＯＢＪ２の特徴量を示す情報を読み出す。抽出部２１は、被写体ＯＢＪ２の特徴量に基づいて、読み出した画像データに被写体ＯＢＪ２の画像が含まれているか否かを判定する。
【００３２】
具体的には、抽出部２１は、記憶部２６から、図６（Ａ１）に示す２枚目の画像Ｐ０２０の画像データを読み出す。上述したように、この２枚目の画像Ｐ０２０の画像データには、被写体ＯＢＪ２の画像が含まれている。したがって、抽出部２１は、２枚目の画像Ｐ０２０の画像データを位置判定部２２に出力する。
【００３３】
次に、抽出部２１は、記憶部２６から、図６（Ｂ１）に示す４枚目の画像Ｐ０４０の画像データを読み出す。上述したように、この４枚目の画像Ｐ０４０の画像データには、被写体ＯＢＪ２の画像が含まれていない。したがって、抽出部２１は、４枚目の画像Ｐ０４０の画像データを位置判定部２２に出力しない。
次に、抽出部２１は、記憶部２６から、図６（Ｃ１）に示す６枚目の画像Ｐ０６０の画像データを読み出す。上述したように、この６枚目の画像Ｐ０６０の画像データには、被写体ＯＢＪ２の画像が含まれている。したがって、抽出部２１は、６枚目の画像Ｐ０６０の画像データを位置判定部２２に出力する。
【００３４】
このようにして、抽出部２１は、記憶部２６に記憶されている画像データから、被写体ＯＢＪ１が写っている画像の画像データを抽出し、抽出した画像データを位置判定部２２に出力する。すなわち、抽出部２１は、撮像された複数の被写体ＯＢＪのうちの被写体ＯＢＪ１が含まれる画像Ｐ０１０および画像Ｐ０３０を複数の画像から抽出し、複数の被写体ＯＢＪのうちの被写体ＯＢＪ２が含まれる画像Ｐ０２０および画像Ｐ０６０を複数の画像から抽出する。
【００３５】
位置判定部２２は、抽出部２１が出力した画像データを取得する。この抽出部２１が出力した画像データには、被写体ＯＢＪ２の画像が含まれている。位置判定部２２は、取得した画像データに基づいて、この画像データが示す画像Ｐ０２０について、被写体ＯＢＪ２の顔の部分を示す画像Ｆ２の位置を判定する。また、位置判定部２２は、判定した被写体ＯＢＪ２の顔の部分を示す画像Ｆ２が、表示部１０の表示面ＤＳの右半面の所定の位置に表示されるように、画像Ｆ２の表示位置を補正する。具体的には、図６（Ａ１）に示す画像Ｆ２の位置Ｐ２が、所定の表示位置（例えば、表示面ＤＳの中央の位置）になるように、画像Ｐ０２０の表示位置を補正する。また、位置判定部２２は、表示位置を補正した画像Ｐ０２０を画像ＣＰ２（以下の説明において、補正画像ＣＰ２と記載する。）として生成する（図６（Ａ２）を参照）。また、位置判定部２２は、図６（Ｃ１）に示す画像Ｆ６の位置Ｐ６が、表示面ＤＳの中央の位置になるように、画像Ｐ０６０の位置を補正し、表示位置を補正した画像Ｐ０６０を補正画像ＣＰ６として生成する（図６（Ｃ２）を参照）。
【００３６】
すなわち、位置判定部２２は、抽出部２１が抽出した画像Ｐ０１０および画像Ｐ０３０内の被写体ＯＢＪ１の顔の位置と、抽出部２１が抽出した画像Ｐ０２０および画像Ｐ０６０内の被写体ＯＢＪ２の顔の位置とをそれぞれ判定する。
【００３７】
次に、図７を参照して、表示部１０が表示する合成画像ＳＰの一例について説明する。
図７は、本実施形態の表示部１０が表示する合成画像ＳＰの一例を示す模式図である。図７（Ａ）に示すように、位置判定部２２は、被写体ＯＢＪ１に関する補正画像ＣＰ１と、被写体ＯＢＪ２に関する補正画像ＣＰ２とを合成した合成画像ＳＰ１を生成する。また、図７（Ｂ）に示すように、位置判定部２２は、被写体ＯＢＪ１に関する補正画像ＣＰ５と、被写体ＯＢＪ２に関する補正画像ＣＰ６とを合成した合成画像ＳＰ２を生成する。位置判定部２２は、生成した合成画像ＳＰを表示部１０に出力する。
【００３８】
なお、ここでは図７に示すように、表示部１０は、被写体ＯＢＪの顔のみを含む合成画像ＳＰを表示するとして説明するが、これに限られない。例えば、表示部１０は、被写体ＯＢＪの人物全体を含む合成画像ＳＰを表示してもよい。また、表示部１０は、被写体ＯＢＪの背景を含む合成画像ＳＰを表示してもよい。また、ここでは位置判定部２２が合成画像ＳＰを生成する場合について説明するが、これに限られない。
【００３９】
表示部１０は、位置判定部２２から出力された合成画像ＳＰを表示面ＤＳに表示する。ここで、図７（Ｃ）に示すように、位置判定部２２から合成画像ＳＰ１〜ＳＰ６が順次出力される場合には、表示部１０は、これらの合成画像ＳＰ１〜ＳＰ６を順次表示する。すなわち、被写体ＯＢＪ１の画像（第１画像）と被写体ＯＢＪ２の画像（第２画像）とを並べて同時に表示する。
【００４０】
次に、図８を参照して、本実施形態の表示装置１の動作の一例について説明する。図８は、本実施形態の表示装置１の動作の一例を示すフローチャートである。なお、ここでは、選択部２５によって被写体ＯＢＪ１と被写体ＯＢＪ２とが予め選択されている場合について説明する。
【００４１】
抽出部２１は、記憶部２６に記憶されている複数の撮像画像ＰＩＣのなかから、被写体ＯＢＪ１の画像が含まれる撮像画像ＰＩＣ、および被写体ＯＢＪ２の画像が含まれる撮像画像ＰＩＣをそれぞれ抽出する（ステップＳ１０）。
次に、位置判定部２２は、ステップＳ１０において抽出された各画像について、被写体ＯＢＪの顔の部分を示す画像の表示位置を判定する（ステップＳ２０）。
次に、位置判定部２２は、ステップＳ２０において判定した顔の部分を示す画像の表示位置が、表示面ＤＳの中央の位置になるように、各画像の表示位置を補正する（ステップＳ３０）。ここで、位置判定部２２は、被写体ＯＢＪ１の表示位置を補正した画像を、被写体ＯＢＪ１の補正画像ＣＰ（例えば、上述した補正画像ＣＰ１）として生成する。また、位置判定部２２は、被写体ＯＢＪ２の表示位置を補正した画像を、被写体ＯＢＪ２の補正画像ＣＰ（例えば、上述した補正画像ＣＰ２）として生成する。
次に、位置判定部２２は、被写体ＯＢＪ１の補正画像ＣＰと、被写体ＯＢＪ２の補正画像ＣＰとを合成した合成画像ＳＰ（例えば、上述した合成画像ＳＰ１）を生成する（ステップＳ４０）。
次に、表示部１０は、ステップＳ４０において生成された合成画像ＳＰを表示面ＤＳに表示して処理を終了する（ステップＳ５０）。
【００４２】
以上説明したように、本実施形態の表示装置１は、表示部１０と、抽出部２１と、位置判定部２２とを備えている。これにより、表示面ＤＳには被写体ＯＢＪ１の画像と被写体ＯＢＪ２の画像とが、所定の位置（例えば、表示面ＤＳの中央の位置）に並んで表示される。このように２つの被写体ＯＢＪの画像を並べて表示することにより、表示装置１は、２つの被写体ＯＢＪの関係性（例えば、親子やきょうだいなど）を強調する演出を行うことができる。すなわち、表示装置１は、ユーザがより楽しめるような表示上の演出を行うことができる。
【００４３】
表示装置１は、複数の撮像画像がある場合には、被写体ＯＢＪ１と被写体ＯＢＪ２との合成画像ＳＰを複数生成して、これら複数の合成画像ＳＰを順次表示する。これにより、表示装置１は、被写体ＯＢＪ１と被写体ＯＢＪ２との合成画像ＳＰをスライドショー形式にして表示することができる。このように、表示装置１は、ユーザが見やすいデジタル画像を表示することができる。
【００４４】
また、本実施形態の表示装置１は、選択部２５を備えている。これにより、表示装置１は、ユーザが選択した画像データに基づいて、被写体ＯＢＪを表示対象として選択することができる。すなわち、表示装置１は、表示対象である被写体ＯＢＪをユーザの選択により切換えることができる。これにより、表示装置１は、ユーザが見やすいデジタル画像を表示することができる。
【００４５】
なお、ここまで抽出部２１は、複数の撮像画像ＰＩＣのなかから、被写体ＯＢＪ１の画像が含まれる撮像画像ＰＩＣ、および被写体ＯＢＪ２の画像が含まれる撮像画像ＰＩＣをそれぞれ抽出するとして説明したが、これに限られない。抽出部２１は、様々な条件に基づいて、被写体ＯＢＪの画像が含まれる撮像画像ＰＩＣを抽出することができる。
【００４６】
例えば、抽出部２１は、被写体ＯＢＪ１の年齢を抽出条件にして、被写体ＯＢＪ２の画像が含まれる撮像画像ＰＩＣを抽出することができる。この場合、抽出部２１は、予め定められている既知の年齢推定アルゴリズムに基づいて、被写体ＯＢＪの画像から被写体ＯＢＪの年齢を推定してもよい。また、抽出部２１は、予め入力されている被写体ＯＢＪの生年月日等の年齢を示す情報と、撮像画像ＰＩＣの撮像日を示す情報とに基づいて、被写体ＯＢＪの年齢を算出してもよい。
【００４７】
また、この場合、抽出部２１は、推定または算出した被写体ＯＢＪ１の年齢に基づいて、この年齢に対応する被写体ＯＢＪ２の撮像画像ＰＩＣを抽出する。具体的には、抽出部２１は、被写体ＯＢＪ１の年齢と同年齢（または、近い年齢）の被写体ＯＢＪ２の撮像画像ＰＩＣを抽出する。これにより、例えば、被写体ＯＢＪ１と被写体ＯＢＪ２とが同年齢（又は、近い年齢）である場合、同じ時代に別々に撮像された被写体ＯＢＪ１の画像と被写体ＯＢＪ２の画像とが並べて表示される。すなわち、抽出部２１は、複数の撮像画像ＰＩＣから、被写体ＯＢＪ１が写っている撮像画像ＰＩＣを抽出するとともに、抽出した撮像画像ＰＩＣの撮像時における撮像画像ＰＩＣに含まれる被写体ＯＢＪの年齢に基づいて、この撮像画像ＰＩＣに対応する被写体ＯＢＪ２が写っている撮像画像ＰＩＣを抽出する。このように構成しても、表示装置１は、ユーザが見やすいデジタル画像を表示することができる。さらに、表示装置１は、ユーザがより楽しめるような表示上の演出を行うことができる。
【００４８】
また、例えば、抽出部２１は、被写体ＯＢＪ１の表情を抽出条件にして、被写体ＯＢＪ２の画像が含まれる撮像画像ＰＩＣを抽出することができる。この場合、抽出部２１は、予め定められている既知の表情パターン認識アルゴリズムに基づいて、被写体ＯＢＪの画像から被写体ＯＢＪの表情を推定してもよい。この場合、抽出部２１は、推定した被写体ＯＢＪ１の表情に基づいて、この表情に対応する被写体ＯＢＪ２の撮像画像ＰＩＣを抽出する。具体的には、抽出部２１は、被写体ＯＢＪ１の表情が、例えば、笑顔である場合には、被写体ＯＢＪ２の撮像画像ＰＩＣのなかから、被写体ＯＢＪ２の表情が笑顔である撮像画像ＰＩＣを抽出する。これにより、例えば、別々に撮像された被写体ＯＢＪ１の笑顔の画像と被写体ＯＢＪ２の笑顔の画像とが、並べて表示される。つまり、表示部１０には被写体ＯＢＪ１の表情と、被写体ＯＢＪ２の表情とが揃った合成画像ＳＰが表示される。すなわち、抽出部２１は、複数の撮像画像ＰＩＣから、被写体ＯＢＪ１の撮像画像ＰＩＣを抽出するとともに、抽出した被写体ＯＢＪ１の撮像画像ＰＩＣが示す被写体ＯＢＪ１の表情に基づいて、撮像画像ＰＩＣに対応する被写体ＯＢＪ２の撮像画像ＰＩＣを抽出する。このように構成しても、表示装置１は、ユーザが見やすいデジタル画像を表示することができる。さらに、表示装置１は、ユーザがより楽しめるような表示上の演出を行うことができる。
【００４９】
また、例えば、抽出部２１は、被写体ＯＢＪ１の視線の方向を抽出条件にして、被写体ＯＢＪ２の画像が含まれる撮像画像ＰＩＣを抽出することができる。この場合、抽出部２１は、予め定められている既知の顔認識アルゴリズムに基づいて、被写体ＯＢＪの画像から被写体ＯＢＪの視線の方向を算出してもよい。この場合、抽出部２１は、算出した被写体ＯＢＪ１の視線の方向に基づいて、この視線の方向に対応する被写体ＯＢＪ２の撮像画像ＰＩＣを抽出する。具体的には、抽出部２１は、被写体ＯＢＪ１の視線の方向と一致する方向の被写体ＯＢＪ２の画像を、被写体ＯＢＪ２の撮像画像ＰＩＣのなかから抽出する。これにより、例えば、別々に撮像された被写体ＯＢＪ１の画像と被写体ＯＢＪ２の画像との視線の方向が揃った状態にして表示される。すなわち、抽出部２１は、複数の撮像画像ＰＩＣのなかから、被写体ＯＢＪ１の撮像画像ＰＩＣを抽出するとともに、抽出した撮像画像ＰＩＣが示す被写体ＯＢＪ１の視線の方向に基づいて、この撮像画像ＰＩＣに対応する被写体ＯＢＪ２の撮像画像ＰＩＣを抽出する。このように構成しても、表示装置１は、ユーザが見やすいデジタル画像を表示することができる。さらに、表示装置１は、ユーザがより楽しめるような表示上の演出を行うことができる。
【００５０】
［第２の実施形態］
次に、本発明の第２の実施形態に係る表示装置１ａについて、図９を参照して説明する。本実施形態の表示装置１ａは、本体２０ａが画像変更部２３を備える点において、上述した実施形態と相違する。なお、上述した実施形態と同一の構成については、同一の符号を付してその説明を省略する。
【００５１】
図９は、本発明の第２の実施形態に係る表示装置１ａの構成の一例を示す構成図である。この表示装置１ａは、位置判定部２２ａと画像変更部２３とを含む本体２０ａを備えている。この画像変更部２３が変更する画像の一例について、図１０を参照して説明する。
【００５２】
図１０は、本実施形態の画像変更部２３が変更する画像の一例を示す模式図である。画像変更部２３は、位置判定部２２ａが位置を判定する被写体ＯＢＪ１の顔の部分を示す画像Ｆ７（図１０（Ａ）を参照。）と、被写体ＯＢＪ２の顔の部分を示す画像Ｆ８（図１０（Ｂ）を参照。）とについて、画像Ｆ７の大きさと、画像Ｆ８の大きさとが相違する場合には、一方の画像の大きさに基づいて他方の画像の大きさを変更する。
【００５３】
ここで位置判定部２２ａは、位置判定部２２と異なり画像の位置の補正や合成を行わない。本実施形態においては、位置判定部２２が行っていた画像の位置の補正や合成は、画像変更部２３が行う。
【００５４】
具体的には、画像変更部２３は、位置判定部２２ａから被写体ＯＢＪ１の顔の部分を示す画像Ｆ７の大きさを示す情報と、被写体ＯＢＪ２の顔の部分を示す画像Ｆ８の大きさを示す情報とを取得する。また、画像変更部２３は、取得した情報が示す画像Ｆ７の大きさが、画像Ｆ８の大きさよりも大きい（または、小さい）場合には、既知のアフィン変換を適用することにより、画像Ｆ７の大きさを画像Ｆ８の大きさに合わせる補正を行う。
【００５５】
また、画像変更部２３は、画像Ｆ７が、表示部１０の表示面ＤＳの左半面の所定の位置に表示されるように、画像Ｆ７の位置を補正する。具体的には、図１０（Ａ）に示す画像Ｆ７の位置Ｐ７が、表示面ＤＳの中央の位置になるように、画像Ｐ０７０の位置を補正した補正画像ＣＰ７を生成する（図１０（Ｃ）を参照）。
【００５６】
また、画像変更部２３は、画像Ｆ８が、表示部１０の表示面ＤＳの右半面の所定の位置に表示されるように、画像Ｆ８の位置を補正する。具体的には、図１０（Ｂ）に示す画像Ｆ８の位置Ｐ８が、表示面ＤＳの中央の位置になるように、画像Ｐ０８０の位置を補正した補正画像ＣＰ８を生成する（図１０（Ｃ）を参照）。
【００５７】
また、図１０（Ｃ）に示すように、画像変更部２３は、補正画像ＣＰ７と、補正画像ＣＰ８とを合成した合成画像ＳＰ３を生成する。画像変更部２３は、生成した合成画像ＳＰ３を表示部１０に出力する。
【００５８】
以上説明したように、本実施形態の表示装置１ａは、画像変更部２３により被写体ＯＢＪ１の画像の大きさと、被写体ＯＢＪ２の画像の大きさとを揃えて表示することができる。このように、大きさが揃えられた２つの被写体ＯＢＪの画像を並べて表示することにより、表示装置１ａは、２つの被写体ＯＢＪの関係性（例えば、親子やきょうだいなど）を強調する演出を行うことができる。すなわち、表示装置１ａは、ユーザがより楽しめるような表示上の演出を行うことができる。
【００５９】
［第３の実施形態］
次に、本発明の第３の実施形態に係る表示装置１ｂについて、図１１を参照して説明する。本実施形態の表示装置１ｂは、本体２０ｂが画像補正部２４を備える点において、上述した実施形態と相違する。なお、上述した実施形態と同一の構成については、同一の符号を付してその説明を省略する。
【００６０】
図１１は、本発明の第３の実施形態に係る表示装置１ｂの構成の一例を示す構成図である。この表示装置１ｂは、位置判定部２２ａと画像補正部２４とを含む本体２０ｂを備えている。この画像補正部２４が補正する画像の一例について、図１２を参照して説明する。
【００６１】
図１２は、本実施形態の画像補正部２４が補正する画像の一例を示す模式図である。画像補正部２４は、被写体ＯＢＪ１の顔の部分を示す画像Ｆ９の周囲の画像領域ＤＡ１の画素値を補正する。また、画像補正部２４は、被写体ＯＢＪ２の顔の部分を示す画像Ｆ８の周囲の画像領域ＤＡ２の画素値を補正する。すなわち、画像補正部２４は、表示部１０が画像を表示する表示領域のうち、被写体ＯＢＪ１の顔と被写体ＯＢＪ２の顔とが並べて表示される顔表示領域の周囲の表示領域ＤＡに表示される画像の画素値を補正する。ここで、例えば、画像補正部２４は、顔表示領域の周囲の表示領域に表示される画像の明るさを示す値を所定の範囲内に補正することができる。また例えば、画像補正部２４は、顔表示領域の周囲の表示領域に表示される画像の色彩を示す値を所定の範囲内に補正することができる。
【００６２】
このように、表示装置１ｂは、被写体ＯＢＪの顔の周囲の画素値を補正することにより、被写体ＯＢＪの顔の画像を際立たせることができる。すなわち、表示装置１ｂは、ユーザが、被写体ＯＢＪの顔の画像に注目するようにして、画像を表示することができる。すなわち、表示装置１ｂは、ユーザが見やすいデジタル画像を表示することができる。さらに、表示装置１ｂは、ユーザがより楽しめるような表示上の演出を行うことができる。
【００６３】
なお、画像補正部２４は、さらに、顔表示領域に表示される画像のうち、被写体ＯＢＪ１の画像と被写体ＯＢＪ２の画像との境界領域に表示される画像の画素値を補正してもよい。このように構成することにより、表示装置１ｂは、被写体ＯＢＪ１の画像と被写体ＯＢＪ２の画像との境界領域を目立たなくして、これらの画像の一体感をより向上させることができる。すなわち、このように構成しても、表示装置１ｂは、ユーザがより楽しめるような表示上の演出を行うことができる。
【００６４】
また、画像補正部２４は、さらに、被写体ＯＢＪ１および被写体ＯＢＪ２のうち少なくとも一方の被写体ＯＢＪの髪型に基づいて、少なくとも他方の被写体ＯＢＪの頭髪部分を示す画像の画素値を補正してもよい。ここで、髪型は画像が撮像された時期によって変遷するため、髪型を補正しない場合には、被写体ＯＢＪ１の画像と被写体ＯＢＪ２の画像との一体感が損なわれることがある。このように構成することにより、表示装置１ｂは、被写体ＯＢＪ１の画像と被写体ＯＢＪ２の画像との一体感をより向上させることができる。すなわち、このように構成しても、表示装置１ｂは、ユーザが見やすいデジタル画像を表示することができる。さらに、表示装置１ｂは、ユーザがより楽しめるような表示上の演出を行うことができる。
【００６５】
また、画像補正部２４は、さらに、被写体ＯＢＪ１および被写体ＯＢＪ２のうち少なくとも一方の被写体ＯＢＪの顔を示す画像の画素値に基づいて、少なくとも他方の被写体の顔を示す画像の画素値を補正してもよい。ここで、被写体ＯＢＪの顔の画像は、表示部１０が表示する画像のなかで注目される部分であるため、顔の画素値を補正しない場合には、被写体ＯＢＪ１の画像と被写体ＯＢＪ２の画像との一体感が損なわれることがある。このように構成することにより、表示装置１ｂは、被写体ＯＢＪ１の画像と被写体ＯＢＪ２の画像との一体感をより向上させることができる。すなわち、このように構成しても、表示装置１ｂは、ユーザが見やすいデジタル画像を表示することができる。さらに、表示装置１ｂは、ユーザがより楽しめるような表示上の演出を行うことができる。
【００６６】
また上述の場合において、一方の被写体ＯＢＪの画像がカラー画像であって、他方の被写体ＯＢＪの画像が白黒画像である場合には、画像補正部２４は、カラー画像を白黒画像にする画素値の補正をしてもよい。ここで、被写体ＯＢＪ１の画像（例えば、カラー画像）と被写体ＯＢＪ２の画像（例えば、白黒画像）とが並べて表示されると、これらの画像間の一体感が損なわれることがある。カラー画像を白黒画像に補正することにより、表示装置１ｂは、被写体ＯＢＪ１の画像と被写体ＯＢＪ２の画像との一体感をより向上させることができる。すなわち、このように構成しても、表示装置１ｂは、ユーザが見やすいデジタル画像を表示することができる。さらに、表示装置１ｂは、ユーザがより楽しめるような表示上の演出を行うことができる。なお、画像補正部２４は、白黒画像をカラー画像にする画素値の補正をしてもよい。このように構成しても、表示装置１ｂは、ユーザが見やすいデジタル画像を表示することができる。
【００６７】
なお、上記の各実施形態においては、表示装置１、表示装置１ａおよび表示装置１ｂ（以下、これらを総称して表示装置と記載する。）の具体例として、表示装置がパーソナルコンピュータである例について説明したが、これに限られない。例えば、表示装置とは、カメラ２に内蔵されている表示装置であってもよい。また、この場合には、表示装置は、カメラ２に備えられている液晶ディスプレイに合成画像ＳＰを表示するものであってもよく、カメラ２に有線または無線によって接続された外部ディスプレイに合成画像ＳＰを表示するものであってもよい。また、例えば、表示装置とは、液晶プロジェクタのような投射型の表示装置であってもよい。
【００６８】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【００６９】
なお、表示装置が備える各部は、専用のハードウェアにより実現されるものであってもよく、また、メモリおよびマイクロプロセッサにより実現させるものであってもよい。
【００７０】
なお、表示装置が備える各部は、メモリおよびＣＰＵにより構成され、電子装置が備える各部の機能を実現するためのプログラムをメモリにロードして実行することによりその機能を実現させるものであってもよい。
【００７１】
また、表示装置が備える各部の機能を実現するためのプログラムをコンピュータ読み取り可能な記録媒体に記録して、この記録媒体に記録されたプログラムをコンピュータシステムに読み込ませ、実行することにより、制御部が備える各部による処理を行ってもよい。なお、ここでいう「コンピュータシステム」とは、ＯＳや周辺機器等のハードウェアを含むものとする。
【００７２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００７３】
１…表示装置、１０…表示部、２０…本体、２１…抽出部、２２…位置判定部、２３…画像変更部、２４…画像補正部、２５…選択部、２６…記憶部
【図１】
2014222471.tif 000003
【図２】
2014222471.tif 000004
【図３】
2014222471.tif 000005
【図４】
2014222471.tif 000006
【図５】
2014222471.tif 000007
【図６】
2014222471.tif 000008
【図７】
2014222471.tif 000009
【図８】
2014222471.tif 000010
【図９】
2014222471.tif 000011
【図１０】
2014222471.tif 000012
【図１１】
2014222471.tif 000013
【図１２】
2014222471.tif 000014